(57)【要約】【課題】映像に複数の特定画像が含まれている場合であっても、目的の特定画像に対して関連付けられているメタ情報を視聴者が認識することが可能な映像再生装置を提供する。【解決手段】映像再生装置は、再生手段によって再生された映像に含まれる特定画像又は当該映像に付随して再生される音声に含まれる特定音声を認識する認識手段と、認識手段によって認識された特定画像又は特定音声のうち、特定画像又は特定音声に関連する情報であるメタ情報が対応付けられている対応特定画像又は対応特定音声が複数再生される場合には、対応特定画像又は対応特定音声に応じたアイコンを映像表示手段の表示画面上にそれぞれ表示させて、表示画面上に表示させたアイコンのうち指定されたアイコンに対応する対応特定画像又は対応特定音声に関連付けられたメタ情報を表示画面上に表示させる制御手段とを備える。【選択図】図３
2009290320.tif 000002
【特許請求の範囲】
【請求項１】
映像表示手段に映像信号を出力して映像を再生させる再生手段を備える映像再生装置であって、
前記再生手段によって再生された映像に含まれる特定画像又は当該映像に付随して再生される音声に含まれる特定音声を認識する認識手段と、
前記認識手段によって認識された前記特定画像又は前記特定音声のうち、前記特定画像又は前記特定音声に関連する情報であるメタ情報が対応付けられている対応特定画像又は対応特定音声が複数再生される場合には、前記対応特定画像又は前記対応特定音声に応じたアイコンを前記映像表示手段の表示画面上にそれぞれ表示させて、前記表示画面上に表示させた前記アイコンのうち指定されたアイコンに対応する前記対応特定画像又は前記対応特定音声に関連付けられたメタ情報を前記表示画面上に表示させる制御手段とを備える映像再生装置。
【請求項２】
前記アイコンは、前記認識手段によって認識される前記特定画像又は前記特定音声の種類に応じて異なっている、請求項１に記載された映像再生装置。
【請求項３】
前記制御手段は、映像に含まれる画像のうち一部の画像が範囲指定された場合には、範囲指定された前記画像に応じた特定画像を前記認識手段に認識させる、請求項１に記載された映像再生装置。
【請求項４】
映像表示手段に映像信号を出力して映像を再生させる映像再生方法であって、
再生された映像に含まれる特定画像又は当該映像に付随して再生される音声に含まれる特定音声を認識し、
認識された前記特定画像又は前記特定音声のうち、前記特定画像又は前記特定音声に関連する情報であるメタ情報が対応付けられている対応特定画像又は対応特定音声が複数再生される場合には、前記対応特定画像又は前記対応特定音声に応じたアイコンを前記映像表示手段の表示画面上にそれぞれ表示させて、前記表示画面上に表示させた前記アイコンのうち指定されたアイコンに対応する前記対応特定画像又は前記対応特定音声に関連付けられたメタ情報を前記表示画面上に表示させる映像再生方法。
【請求項５】
前記アイコンは、前記認識手段によって認識される前記特定画像又は前記特定音声の種類に応じて異なっている、請求項４に記載された映像再生方法。
【請求項６】
映像に含まれる画像のうち一部の画像が範囲指定された場合には、範囲指定された前記画像に応じた特定画像をも認識する、請求項４に記載された映像再生方法。
【発明の詳細な説明】
【技術分野】
【０００１】
本発明は、映像信号を再生する映像音声再生装置及び映像音声再生方法に関する。
【背景技術】
【０００２】
デジタル放送やデジタル情報として録画された映像コンテンツには、映像として映し出される人物、テロップ、字幕等の特定画像に対してメタ情報（例えば、特定画像が出演者の映像である場合には、その出演者に関連する情報（他の出演番組やプロフィール等））が関連付けられていることがある。そこで、このようなメタ情報の表示方法として、従来、視聴中のビデオプログラムにインデックス・ピクチャを重畳させてモニタに表示し、インデックス・ピクチャに含まれるインデックス・オブジェクトがビデオプログラム内の有意のビデオ・オブジェクトに重畳されていることを視聴者に認知させるようにしたデジタルビデオシステムが知られている（例えば、下記特許文献１参照）。
【特許文献１】特開２００２−２１８４３３号公報
【発明の開示】
【発明が解決しようとする課題】
【０００３】
しかしながら、上記特許文献１のような従来のデジタルビデオシステムでは、例えば映像に人物、テロップ、字幕等の特定画像が複数含まれている場合に、いずれの特定画像にどのようなメタ情報が関連付けられているのか認識することができなかった。そのため、ある特定画像に関連付けられているメタ情報を知りたいと考える視聴者の要求を満たすものではなかった。
【０００４】
そこで、本発明は、映像に複数の特定画像が含まれている場合であっても、目的の特定画像に対して関連付けられているメタ情報を視聴者が認識することが可能な映像再生装置及び映像再生方法を提供することを目的とする。
【課題を解決するための手段】
【０００５】
本発明に係る映像再生装置は、映像表示手段に映像信号を出力して映像を再生させる再生手段を備える映像再生装置であって、再生手段によって再生された映像に含まれる特定画像又は当該映像に付随して再生される音声に含まれる特定音声を認識する認識手段と、認識手段によって認識された特定画像又は特定音声のうち、特定画像又は特定音声に関連する情報であるメタ情報が対応付けられている対応特定画像又は対応特定音声が複数再生される場合には、対応特定画像又は対応特定音声に応じたアイコンを映像表示手段の表示画面上にそれぞれ表示させて、表示画面上に表示させたアイコンのうち指定されたアイコンに対応する対応特定画像又は対応特定音声に関連付けられたメタ情報を表示画面上に表示させる制御手段とを備える。
【０００６】
一方、本発明に係る映像再生方法は、映像表示手段に映像信号を出力して映像を再生させる映像再生方法であって、再生された映像に含まれる特定画像又は当該映像に付随して再生される音声に含まれる特定音声を認識し、認識された特定画像又は特定音声のうち、特定画像又は特定音声に関連する情報であるメタ情報が対応付けられている対応特定画像又は対応特定音声が複数再生される場合には、対応特定画像又は対応特定音声に応じたアイコンを映像表示手段の表示画面上にそれぞれ表示させて、表示画面上に表示させたアイコンのうち指定されたアイコンに対応する対応特定画像又は対応特定音声に関連付けられたメタ情報を表示画面上に表示させる。
【発明の効果】
【０００７】
本発明によれば、映像に複数の特定画像が含まれている場合であっても、目的の特定画像に対して関連付けられているメタ情報を視聴者が認識することが可能な映像再生装置及び映像再生方法を提供することができる。
【発明を実施するための最良の形態】
【０００８】
本発明に係る映像再生装置１の好適な実施形態について、図面を参照して説明する。なお、説明において、同一要素又は同一機能を有する要素には同一符号を用いることとし、重複する説明は省略する。
【０００９】
映像再生装置１は、例えばＨＤＤレコーダであって、図１に示されるように、制御部１０と、番組データ記憶部１２と、メタ情報記憶部１４と、ポインタ情報記憶部１６とを備える。制御部１０は、映像再生装置１の中央演算装置（ＣＰＵ：Central Processing Unit）として機能し、番組データ記憶部１２、メタ情報記憶部１４、ポインタ情報記憶部１６等の映像再生装置１全体の制御を行う。制御部１０は、図示しない地上デジタルチューナによって受信された地上デジタル放送波等に含まれる番組データや番組データ記憶部１２に記憶されている番組データの再生を行うと、番組データの映像信号をモニタ２０に出力すると共に、番組データの音声信号をスピーカ２２に出力する。
【００１０】
制御部１０は、映像に含まれる特定画像又は当該映像に付随して再生される音声に含まれる特定音声を認識する認識手段としても機能する。具体的には、制御部１０は、映像に人物が表示されているか否かを識別する人物クラスタリングフィルタ、映像に字幕が表示されているか否かを識別する字幕分析フィルタ、映像に（映像と共に）テロップが表示されているか否かを識別するテロップ分析フィルタ、映像に付随して再生される音声が、出演者のセリフ、ＢＧＭ（Back Ground Music）、効果音（ＳＥ：Sound Effect）等のいずれであるのかを識別する音声分析フィルタ等として機能する。すなわち、これらの各種フィルタによってインデキシングが行われることで、特定画像や特定音声が特定されることとなる。
【００１１】
番組データ記憶部１２は、図示しない地上デジタルチューナによって受信された地上デジタル放送波等に含まれる番組データを記憶（録画）する。メタ情報記憶部１４は、各種フィルタによって識別された特定画像又は特定音声に関連する情報（メタ情報）を、特定画像又は特定音声と関連付けて記憶する。メタ情報としては、例えば、特定画像が人物である場合にはその人物のプロフィールや他の出演番組等、特定画像が字幕やテロップである場合にはその文字やテロップをキーとしてＷＥＢサイトを検索した検索結果等、特定音声がＢＧＭである場合にはその作曲者等が挙げられる。
【００１２】
ポインタ情報記憶部１６は、制御部１０が認識手段として特定画像や特定音声を認識したときに、これらの認識された特定画像や特定音声が映像の開始から終了まで（例えば、２時間の長さの番組であれば、番組データの００時間００分００秒００フレームから０２時間００分００秒００フレームまで）のうち出力されている時間帯（ここでいう「時間」とは、番組データの開始点を基準とした相対的な時間である）を各フィルタに対応させたポインタテーブルとして記憶している。具体的には、図２に示されるように、人物クラスタリングフィルタによって人物画像（同一人物であるとは限らない）が認識されると、その人物画像が出力されている時間帯の情報ｈｈ：ｍｍ：ｓｓ：ｆｆ〜ｈｈ：ｍｍ：ｓｓ：ｆｆ（例えば、００時間０１分０２秒０８フレーム〜００時間０２分４４秒４８フレーム）が、人物クラスタリングフィルタと対応して記憶される。字幕分析フィルタ、テロップ分析フィルタ、音声分析フィルタについても同様である（図２参照）。
【００１３】
続いて、この映像再生装置１で番組データ記憶部１２に記憶されている番組データを再生している際にメタ情報をモニタ２０の表示画面上に表示させるための方法について、図３を参照しつつ説明する。なお、図３では、ステップをＳと略記している。
【００１４】
番組データ記憶部１２に記憶されている番組データを再生している際に映像再生装置１がメタ情報表示処理を開始すると、まず、アイコンをモニタ２０の表示画面上に表示させる視聴者からの指示がリモートコントローラ等によってなされたか否かを制御部１０が判定する（ステップ１００）。制御部１０は、アイコン表示の開始指示があるまで待機し、アイコン表示の開始指示があったと制御部１０が判定するとステップ１０２に進む。そして、制御部１０は、現在出力されている番組データが何時間何分何秒何フレームであるのか（再生時刻情報）を取得する（ステップ１０２）。
【００１５】
続いて、制御部１０は、図２のポインタテーブルを参照することで、取得した再生時刻情報に対応するフィルタがあるか否かを判定する（ステップ１０４）。取得した再生時刻情報に対応するフィルタがなかったと制御部１０が判定すると、制御部１０は、アイコン表示を終了させる視聴者からの指示がリモートコントローラ等によってなされたか否かを判定する（ステップ１０６）。アイコン表示の終了指示があったと制御部１０が判定すると、制御部１０はメタ情報表示処理を終了させる。一方、アイコン表示の終了指示がなかったと制御部１０が判定すると、ステップ１０２に戻って、再び現在の再生時刻情報を取得する。
【００１６】
一方、ステップ１０４において、取得した再生時刻情報に対応するフィルタがあったと制御部１０が判定すると、制御部１０は、そのフィルタをアイコンと共にモニタ２０の表示画面上に表示させる（ステップ１０８）。具体的に、図４に示される例では、現在時刻情報に対応する人物クラスタリングフィルタＦ１、字幕分析フィルタＦ２、テロップ分析フィルタＦ３及び音声分析フィルタ（図示せず）がポインタテーブルに存在しており、これらのフィルタによって認識された特定画像及び特定音声に対して、メタ情報記憶部１４に記憶されているメタ情報が対応付けられていたため、各フィルタＦ１〜Ｆ３と、人物アイコンＩ１、字幕アイコンＩ２、テロップアイコンＩ３及び音声アイコンＩ４とをモニタ２０の表示画面上に表示させている。
【００１７】
すなわち、図４では、メタ情報が対応付けられている特定画像又は特定音声が同時（本実施形態においては、所定の再生時刻（○○時間○○分○○秒○○フレーム）をいう）に複数再生されていることとなる。なお、フィルタによって特定画像又は特定音声が認識されても、その特定画像及び特定音声に対してメタ情報が対応付けられていない場合もありうる。このときは、メタ情報が対応付けられている特定画像及び特定音声に対してのみフィルタ及びアイコンをモニタ２０の表示画面上に表示させるようにすることができる。
【００１８】
ここで、アイコンＩ１〜Ｉ３は「虫眼鏡」を模しており、音声アイコンＩ４は「音符」を模している。なお、それぞれが異なる種類のアイコンであることを視聴者に認識させるために、各アイコンＩ１〜Ｉ４について、色や大きさや形状を互いに異なるものとしてもよい。
【００１９】
図３に戻って、フィルタ及びアイコンがモニタ２０の表示画面上に表示されると、制御部１０は、メタ情報を表示させる視聴者からの指示がリモートコントローラ等によってなされたか否かを判定する（ステップ１１０）。メタ情報表示の開始指示がなかったと制御部１０が判定すると、ステップ１０６に進む。一方、メタ情報表示の開始指示があったと制御部１０が判定すると、制御部１０は、モニタ２０の表示画面上にメタ情報を表示させる。
【００２０】
具体的には、視聴者がリモートコントローラ等を用いて、アイコンＩ１〜Ｉ４のうちいずれか一つについて指定する操作を行うと、指定されたアイコンに対応する特定画像又は特定音声に関連付けられたメタ情報のみをメタ情報記憶部１４から取得して、モニタ２０の表示画面上に表示させる。従って、例えば人物アイコンＩ１が選択された場合には、その人物のプロフィールや他の出演番組等といったメタ情報のみが表示され、他のアイコンＩ２〜Ｉ４に対応するメタ情報が表示されないこととなる。メタ情報を表示させると、制御部１０はメタ情報表示処理を終了させる。
【００２１】
以上のような本実施形態においては、特定画像又は特定音声に応じたアイコンＩ１〜Ｉ４をモニタ２０の表示画面上にそれぞれ表示させている。そして、アイコンＩ１〜Ｉ４のうちいずれか一つについて指定する操作が視聴者によって行われると、指定されたアイコンに対応する特定画像又は特定音声に関連付けられたメタ情報のみがメタ情報記憶部１４から取得され、モニタ２０の表示画面上に表示される。そのため、視聴者が望むメタ情報のみが視聴者に対して提示されることとなる。その結果、映像に複数の特定画像が含まれている場合であっても、目的の特定画像に対して関連付けられているメタ情報を視聴者が認識することが可能となる。
【００２２】
以上、本発明の好適な実施形態について詳細に説明したが、本発明は上記した実施形態に限定されるものではない。例えば、視聴者の入力操作に応じて、新たにフィルタ設定をするようにしてもよい。具体的には、映像に含まれる画像のうち一部の画像が視聴者によって範囲指定されたときに、その範囲指定された画像に基づいて制御部１０がフィルタを作成してもよい。図５に示される例では、出演者の衣装が視聴者によって範囲指定されていることから、映像に衣装が表示されているか否かを識別する衣装分析フィルタＦ５が作成されることとなる。
【図面の簡単な説明】
【００２３】
【図１】図１は、本実施形態に係る映像再生装置の全体構成を示すブロック図である。
【図２】図２は、各種フィルタと特定画像や特定音声が出力されている時間帯とが対応付けられたポインタテーブルを説明するための図である。
【図３】図３は、メタ情報表示処理を説明するためのフローチャートである。
【図４】図４は、フィルタとアイコンをモニタの表示画面上に表示させた状態の一例を示す図である。
【図５】図５は、視聴者がフィルタを設定した状態の一例を示す図である。
【符号の説明】
【００２４】
１…映像再生装置、１０…制御部（再生手段、認識手段、制御手段）、１２…番組データ記憶部、１４…メタ情報記憶部、１６…ポインタ情報記憶部、２０…モニタ（映像表示手段）、Ｉ１〜Ｉ４…アイコン。
【図１】
2009290320.tif 000003
【図２】
2009290320.tif 000004
【図３】
2009290320.tif 000005
【図４】
2009290320.tif 000006
【図５】
2009290320.tif 000007